(57)【要約】【課題】デザイン性を崩すことなく、縁取り部をシャープに見せることが可能な表示板を提供する。【解決手段】複数の基本色インクのドット層が完全もしくは部分的に重なる基本色ドット層７からなる背景部７と、この背景部７内に形成され所定の表示意匠を形成する表示部６と、この表示部６と背景部７１との間に形成され表示部６を縁取る第１の縁取り部５とを有する表示板において、第１の縁取り部５と背景部７１との間に、基本色ドット層７を用いて、第１の縁取り部５に近づくに従って前記ドット層のサイズが小さくなるグラデーションを有して第１の縁取り部５を縁取る第２の縁取り部７２を設けた。【選択図】図３
2011196972.tif 000002
【特許請求の範囲】
【請求項１】
複数の基本色インクのドット層が完全もしくは部分的に重なる基本色ドット層からなる背景部と、この背景部内に形成され所定の表示意匠を形成する表示部と、この表示部と前記背景部との間に形成され前記表示部を縁取る第１の縁取り部とを有する表示板において、前記第１の縁取り部と前記背景部との間に、前記基本色ドット層を用いて、前記第１の縁取り部に近づくに従って前記ドット層のサイズまたは密度のうち少なくとも一方が小さくなるグラデーションを有して前記第１の縁取り部を縁取る第２の縁取り部を設けたことを特徴とする表示板。
【請求項２】
前記第１，第２の縁取り部が前記表示部の全周を縁取ることを特徴とする請求項１記載の表示板。
【発明の詳細な説明】
【技術分野】
【０００１】
本発明は、例えば自動車やオートバイに搭載される計器に組み込まれる表示板に関し、特に各種模様、絵柄、図柄、画像等からなる背景中に縁取り部によって縁取られた表示部を有する表示板に関する。
【背景技術】
【０００２】
この種の表示板として例えば下記特許文献１に記載されたものが知られている。この表示板は、合成樹脂からなる基板と、この基板上にオフセット印刷法により形成された基本色ドット層（イエロー，マゼンダ，シアン，ブラックからなる４色の独立した基本色インクのドットを完全もしくは部分的に重ねてなる）と、この基本色ドット層上にスクリーン印刷法により形成されたべた塗り層とを備えており、基本色ドット層は、円環状のグラデーション模様からなる背景部と、この背景中に位置する目盛や数字等の表示部（白色）とを形成すると共に、べた塗り層は、表示部の輪郭を縁取る縁取り部を形成している。
【先行技術文献】
【特許文献】
【０００３】
【特許文献１】特開２０００−２１３９６５（図１）
【発明の概要】
【発明が解決しようとする課題】
【０００４】
しかしながら、特許文献１に記載の表示板は、べた塗り層からなる縁取り部と基本色ドット層からなる背景部とが直接接しているため、基本色ドット層のドットと縁取り部とが重なる（接する）ことによって、縁取り部の輪郭に凹または凸が出来たり、波打ったりして、輪郭がシャープに出ないことがある。このため、もともとあった縁取り部を別のべた塗り層でなる縁取り部で縁取ることが考えられるが、表示部が必要以上に太くなったり、配色バランスが崩れ、デザイン性を損ねるといった問題がある。
【０００５】
そこで、本発明は前述した問題点に着目し、デザイン性を崩すことなく、縁取り部をシャープに見せることが可能な表示板を提供することを目的とする。
【課題を解決するための手段】
【０００６】
本発明は、複数の基本色インクのドット層が完全もしくは部分的に重なる基本色ドット層からなる背景部と、この背景部内に形成され所定の表示意匠を形成する表示部と、この表示部と前記背景部との間に形成され前記表示部を縁取る第１の縁取り部とを有する表示板において、前記第１の縁取り部と前記背景部との間に、前記基本色ドット層を用いて、前記第１の縁取り部に近づくに従って前記ドット層のサイズまたは密度のうち少なくとも一方が小さくなるグラデーションを有して前記第１の縁取り部を縁取る第２の縁取り部を設けたことを特徴とする。
このように構成することにより、第１の縁取り部と背景部との間に、第１の縁取り部に近づくに従ってドット層のサイズまたは密度が小さくなるグラデーションを有する第２の縁取り部が介在するため、第１の縁取り部をシャープに見せることができ、また第２の縁取り部がグラデーションを有して視認されることで縁取り部の形や色を目立たなくすることができ、デザイン性を崩すことなく確保できる。
【０００７】
また本発明は、前記第１，第２の縁取り部が前記表示部の全周を縁取ることを特徴とする。
このように構成することにより、表示部の全周に渡ってデザイン性を崩すことなく、縁取り部をシャープに見せることができる。
【発明の効果】
【０００８】
本発明によれば、デザイン性を崩すことなく、縁取り部をシャープに見せることが可能な表示板を提供することができる。
【図面の簡単な説明】
【０００９】
【図１】本発明の一実施形態による表示板の正面図。
【図２】図１中、「５」なる表示部を含む領域を拡大して示す要部正面図。
【図３】図２のＡ−Ａ線に沿った断面を模式的に示す要部断面図。
【発明を実施するための形態】
【００１０】
本発明の一実施形態による表示板は、例えば車両用の指針式計器に組み込まれるものであり、基板１と、遮光層２と、拡散層３と、着色層４と、第１の縁取り層５と、表示部６と、基本色ドット層７と、保護層８とを備えている。
【００１１】
基板１は、例えば透明な合成樹脂からなる。
【００１２】
遮光層２は、基板１の背面側に例えば黒色の遮光性インクをスクリーン印刷によりベタ塗り形成してなり、その適宜箇所には、図示しない光源の光を表示部６側に透過させるべく抜き形成された開口部２１が形成にされている。
【００１３】
拡散層３は、例えば白色の遮光性インクをスクリーン印刷によりベタ塗り形成してなり、開口部２１に対応して抜き形成された開口部３１を有している。
【００１４】
着色層４は、基板１の前面側に例えば白色の遮光性インクをスクリーン印刷によりベタ塗り形成してなり、前記光源からの光を透過する。
【００１５】
第１の縁取り層（第１の縁取り部）６は、着色層４の前面側であって光透過可能な開口部２１，３１上領域を、数字や目盛といった表示部６の輪郭を形成するように縁取るもので、表示部６の全周を縁取っている。この第１の縁取り層６は、黒色の遮光性インクをスクリーン印刷によりライン状にベタ塗り形成して設けられる。
【００１６】
表示部６は、前記のように第１の縁取り層６によって縁取られた着色層４領域によって、数字や目盛からなる表示意匠を形成する。
【００１７】
基本色ドット層７は、例えばＹ，Ｍ，Ｃ，Ｋ（イエロー，マゼンダ，シアン，ブラック）からなる４色の独立した基本色インク（全ての色が透光性を持つ）の各々を例えばスクリーン印刷によってドット状に印刷することで、各基本色インクのドットを完全もしくは部分的に重ねてなるもので、着色層４の前面側であって表示部６及び第１の縁取り層５の周囲に形成されている。
【００１８】
この基本色ドット層７は、表示部６及び第１の縁取り層５の周囲に広がる背景部７１と、この背景部７１と第１の縁取り部５との間に位置する第２の縁取り部７２とを形成する。
【００１９】
背景部７１は、ドット状の前記基本色インクによって例えば皮模様として視認される背景を形成するもので、皮模様に替えて各種模様、絵柄、図柄、画像、写真等からなる背景としてもよい。
【００２０】
第２の縁取り部７２は、基本色ドット層７の前記基本色ドットを用いて、第１の縁取り部５と背景部７１との間に、第１の縁取り部を縁取るように設けられている。
【００２１】
この第２の縁取り部７２は、背景部７１から第１の縁取り部５に近づくに従って前記ドット層の大きさが小さくなり、着色層４の露出が増えるグラデーションを有し、第１の縁取り部５の全周を縁取っている。なおこの場合、第１の縁取り部５の近傍領域は、全周に渡って前記ドット層が形成されず着色層４の露出領域となっている。この第１の縁取り部５の近傍領域における着色層４の露出領域（無地領域）は、前記ドット層の大きさがドットとして視認されるサイズの場合、必要であるが、前記ドット層のサイズが小さく視認されにくい場合は、無くともよい。
【００２２】
保護層８は、基本色ドット層７、第１の縁取り層５、着色層４の前面を覆うもので、例えば拡散粒子を包含した透明インクをスクリーン印刷してなる。
【００２３】
以上の通り、本実施形態では、複数の基本色インクのドット層が完全もしくは部分的に重なる基本色ドット層７からなる背景部７と、この背景部７内に形成され所定の表示意匠を形成する表示部６と、この表示部６と背景部７１との間に形成され表示部６を縁取る第１の縁取り部５とを有する表示板において、第１の縁取り部５と背景部７１との間に、基本色ドット層７を用いて、第１の縁取り部５に近づくに従って前記ドット層のサイズを小さくすることによりグラデーションを有して第１の縁取り部５を縁取る第２の縁取り部７２を設けたことにより、第１の縁取り部５と背景部７１との間に、第１の縁取り部５に近づくに従ってドット層のサイズが小さくなるグラデーションを有する第２の縁取り部７２が介在するため、第１の縁取り部５をシャープに見せることができ、また第２の縁取り部７２がグラデーションを有して視認されることで縁取り部の形や色を目立たなくすることができ、デザイン性を崩すことなく確保できる。
【００２４】
また本実施形態は、第１，第２の縁取り部５，７２が表示部６の全周を縁取ることにより、表示部６の全周に渡ってデザイン性を崩すことなく、縁取り部をシャープに見せることができる。
【００２５】
なお本実施形態では、第２の縁取り部７２を第１の縁取り部５に近づくに従って前記ドット層のサイズが小さくなるように形成したが、前記ドット層の密度を第１の縁取り部５に近づくに従って小さく（粗く）形成してもよい。
【符号の説明】
【００２６】
１  基板
２  遮光層
３  拡散層
４  着色層
５  第１の縁取り層（第１の縁取り部）
６  表示部
７  基本色ドット層
８  保護層
２１  開口部
３１  開口部
７１  背景部
７２  第２の縁取り部
【図１】
2011196972.tif 000003
【図２】
2011196972.tif 000004
【図３】
2011196972.tif 000005